(57)【特許請求の範囲】
【請求項１】
地理場所データのソースと、
地理場所データのソースがあることをユニバーサルICカード（UICC）に通知する手段と、
前記UICCから、該UICCが地理場所データを必要とすることを示す信号を受信する手段と、
前記UICCが地理場所データを必要とすることを示す前記信号の受信後に、前記地理場所データのソースから地理場所データを取得すると共に、取得した地理場所データを運搬する信号を生成する手段と、
生成された、取得した地理場所データを運搬する前記信号を前記UICCに送信する手段と、
を備えるモバイル無線通信装置。
【請求項２】
請求項１に記載のモバイル無線通信装置であって、
前記地理場所データのソースは、前記モバイル無線通信装置の外部のデバイスから取得された地理場所データを提供することに用いられ、該地理場所データのソースは、前記外部のデバイスから、ワイヤレス方式で前記地理場所データを取得する手段を有する。
【請求項３】
請求項１または２に記載のモバイル無線通信装置であって、
前記地理場所データのソースは、前記モバイル無線通信装置にある測位モジュールを用いて取得された地理場所データを提供することに用いられ、該測位モジュールは、全地球測位システム（GPS）モジュールである。
【請求項４】
請求項２から３のいずれか１項に記載のモバイル無線通信装置であって、
前記UICCが地理場所データを必要とすることを示す前記信号は起動コマンドを含み、前記モバイル無線通信装置は、前記起動コマンドに応じて前記デバイスまたはモジュールを起動する手段を備え、前記受信手段は、さらに、前記デバイスまたはモジュールが停止されるべきことを示す信号を受信することに用いられ、前記モバイル無線通信装置は、前記デバイスまたはモジュールが停止されるべきことを示す前記信号の受信後に前記デバイスまたはモジュールを停止する手段を備え、前記デバイスまたはモジュールが停止されるべきことを示す前記信号は、さらに停止コマンドを含む。
【請求項５】
請求項１から４のいずれか１項に記載のモバイル無線通信装置であって、
前記通知手段は、（ｉ）地理場所データのソースがあることの静的な通知を提供することに用いられ、ターミナル・プロフィール（Terminal Profile）コマンドの調整、前記ターミナル・プロフィールの少なくとも１ビットを設定することにより前記静的な通知を提供し、または（ｉｉ）地理場所データのソースがあることの動的な通知を提供することに用いられ、該動的な通知は、前記モバイル無線通信装置から前記UICCに送信される所定のコマンドを含む。
【請求項６】
請求項１から５のいずれか１項に記載のモバイル無線通信装置であって、
取得した地理場所データを運搬する前記信号は、エンベロープ・コマンドを含み、該エンベロープ・コマンドは、前記地理場所データを運搬するデータ・オブジェクトを含み、及び／または、前記エンベロープ・コマンドは、該エンベロープ・コマンドが地理場所データを運搬することを示すタグを含む。
【請求項７】
請求項１から６のいずれか１項に記載のモバイル無線通信装置であって、
前記受信手段は、地理場所データを必要とするアプリケーションが前記UICC内にあることを示す信号の受信に用いられ、地理場所データを必要とするアプリケーションが前記UICC内にあることは、アンサー・トゥー・リセット（ATR）のインタフェース・バイトを用いて示される。
【請求項８】
請求項１から７のいずれか１項に記載モバイル無線通信装置であって、
USIM（Universal Subscriber Identity Module）USAT（Application Toolkit）ベースのインタフェースを用いて前記UICCと通信を行うことに用いられ、前記UICCが地理場所データを必要とすることを示す信号は、USATコマンドを含み、取得した地理場所データを運搬する前記信号は、USATエンベロープ・コマンドを含む。
【請求項９】
請求項１から８のいずれか１項に記載のモバイル無線通信装置であって、
前記地理場所データのソースの利用可能性について前記UICCに通知する手段を備える。
【請求項１０】
地理場所データのソースを有するモバイル無線通信装置により実行され、前記地理場所データをUICCに提供する方法であって、
前記地理場所データのソースがあることを前記UICCに通知し、
前記UICCから、該UICCが地理場所データを必要とすることを示す信号を受信し、
前記UICCが地理場所データを必要とすることを示す前記信号の受信後に、前記地理場所データのソースから地理場所データを取得すると共に、取得した地理場所データを運搬する信号を生成し、
生成された、取得した地理場所データを運搬する前記信号を前記UICCに送信する。
【請求項１１】
ユニバーサルICカード(UICC)であって、
モバイル無線通信装置において地理場所データのソースが利用可能であることを示す通知を受信する手段と、
前記UICCが地理場所データを必要とすることを示す信号を生成する手段と、
生成された、前記UICCが地理場所データを必要とすることを示す前記信号を前記モバイル無線通信装置に送信する手段と、
前記モバイル無線通信装置から、必要とされる前記地理場所データを運搬する信号を受信する手段とを備える。
【請求項１２】
請求項１１に記載のユニバーサルICカードまたは、請求項１から４のいずれか１項に記載のモバイル無線通信装置であって、
前記UICCが地理場所データを必要とすることを示す前記信号は、前記モバイル無線通信装置に対する、前記UICCに地理場所データを送信するリクエストとして用いられる。
【請求項１３】
モバイル無線通信装置から地理場所データを取得するユニバーサルICカード(UICC)により実行される方法であって、
前記モバイル無線通信装置において地理場所データのソースが利用可能であることを示す通知を受信し、
前記UICCが地理場所データを必要とすることを示す信号を生成し、
生成された、前記UICCが地理場所データを必要とすることを示す前記信号を前記モバイル無線通信装置に送信し、
前記モバイル無線通信装置から、必要とされる前記地理場所データを運搬する信号を受信する。
【請求項１４】
モバイル無線通信装置に用いられるユニバーサルICカード(UICC)・インタフェースであって、
前記モバイル無線通信装置による、該モバイル無線通信装置において地理場所データのソースがあることをUICCに通知する機能をイネーブルする手段と、
前記モバイル無線通信装置による、前記UICCが地理場所データを必要とすることを示す信号を受信する機能をイネーブルする手段と、
前記モバイル無線通信装置による、前記地理場所データを運搬する信号を前記UICCに送信する機能をイネーブルする手段とを備える。
【請求項１５】
プログラマブル・コンピュータ上で実行される際に、請求項１０または１３に記載された方法、または請求項１４に記載されたユニバーサルICカード(UICC)・インタフェースを実現するコンピュータ実装可能な命令を含むコンピュータ・プログラム。
【発明の詳細な説明】
【技術分野】
【０００１】
本発明は、携帯電話機のようなモバイル無線通信装置ME（Mobile  Equipment）に使われるユニバーサルICカード（UICC：Universal Integrated Circuit Card）のためのインタフェース、UICCとのデータ送受信の関連方法に関する。
【背景技術】
【０００２】
モバイル無線通信ネットワークに使用される既知のＭＥが用いるUICCは、格納可能なデータ量及びアプリケーションが増えつつある。
【０００３】
現行の第３世代パートナシップ・プロジェクト（3GPP：Third Generation Partnership Project）の仕様（例えば、TS31.111）に、UICCとME間のインタフェースが記述されており、MEからある種の形式の場所情報／データをUICCに送信することが許可されていることは知られている。
【０００４】
これは、通常、ローカル情報提供コマンド（ローカル情報提供：Provide Local Information）の端末レスポンスを採用した現在のUSIMツールキットの機能による手法で、「Envelope Event Download Location Status」を介して実現される。
【０００５】
なお、これらの場所情報は、通常、モバイル国コード（MCC）、モバイルネットワークコード（MNC）、場所エリアコード（LAC）とセル識別値（Cell  Id）のみが含まれる。
【発明の概要】
【発明が解決しようとする課題】
【０００６】
従って、当然ながら、Cell  Idを含む、UICCのためのインタフェースが扱い得る多くの場所情報の仕様上の要素について多少制限されるが、UICCのためのインタフェースは、場所データの伝送を可能にする能力を有する。この能力は、MD/MEが設けられた携帯電話機とも当然関係する。例えば、数平方kmのエリアのように、携帯電話機のエリアが比較的に広いため、インタフェースが扱い得る場所データは、値が制限され、当然、精密かつ正確な場所情報が必要なアプリケーションに使用することができない。
【０００７】
そのため、UICCの増えつつある格納能力／容量にかかわらず、モバイル無線通信装置に用いられるUICCのための現在のインタフェース・アレンジメントは、不都合に制限され、UICCに使用可能なアプリーケションの機能を制限してしまう。
【課題を解決するための手段】
【０００８】
本発明は、UICCのためのモバイル無線通信装置を提供し、該モバイル無線通信装置は、既知のこの種のモバイル無線通信装置より有利であり、特に、場所に関連する仕様を有するアプリケーションの増加する多様性に対応するUICCの使用可能性を高めることができる。
【０００９】
本発明の１つの態様では、モバイル無線通信装置が提供される。このモバイル無線通信装置は、
地理場所データのソースと、
地理場所データのソースがあることをユニバーサルICカード(UICC)に通知する手段と、
前記UICCから、該UICCが地理場所データを要求することを示す信号を受信する手段と、
前記UICCが地理場所データを要求することを示す前記信号の受信に応じて、前記地理場所データのソースから地理場所データを取得し、該地理場所データを搬送する信号を生成する手段と、
生成された、前記地理場所データを搬送する信号を、前記UICCに送信する手段とを備える。
【００１０】
本発明の別の態様では、地理場所データのソースを有するモバイル無線通信装置により実行され、前記地理場所データをユニバーサルICカード（UICC）に供する方法が提供される。該方法は、
地理場所データのソースがあることを前記UICCに通知し、
前記UICCから、該UICCが地理場所データを要求することを示す信号を受信し、
前記UICCが地理場所データを要求することを示す前記信号の受信に応じて、前記地理場所データのソースから地理場所データを取得し、該地理場所データを搬送する信号を生成し、生成された、前記地理場所データを搬送する信号を、前記UICCに送信することを含む。
【００１１】
本発明の別の態様では、ユニバーサルICカード(UICC)が提供される。該UICCは、
モバイル無線通信装置において地理場所データのソースが利用できる通知を受信する手段と、
該UICCが地理場所データを要求することを示す信号を生成する手段と、
生成された、前記UICCが地理場所データを要求することを示す信号を、前記モバイル無線通信装置に送信する手段と、
前記モバイル無線通信装置からの、要求された前記地理場所データを搬送する信号を受信する手段と、を備える。
【００１２】
上述した装置または方法は、特に、インタフェースが詳細な地理場所データをUICCに配信することを可能にすることにおいて有利である。
【００１３】
これは、UICCのメモリ容量が数ギガビットに増大するように統一されるであろうと認識されている3GPP Rel-7以降において特に有利である。UICCは、モバイル無線通信装置のための重要なアプリケーションエリアの容量を提供することや、モバイル無線通信装置を介して位置情報サービスを提供するモバイル・ネットワーク事業者に用いられるなどのことが考えられる。本発明にかかる装置または方法は、極めて精密な場所情報に基づくこれらの新しいサービスの実現において有利である。
【００１４】
１つのアレンジとして、本発明のモバイル無線通信装置は、精確な場所データを保証するためにGPSモジュール（GPS：Global Positioning System）を用いることができる。すなわち、UICCインタフェースのインタフェース手段は、
GPSデータを必要とするサービスがUICCにあることを、該UICCによりモバイル無線通信装置に通知することを可能にする手段と、
GPSモジュールがモバイル無線通信装置にあることを、該モバイル無線通信装置により前記UICCに通知することを可能にする手段と、
前記UICCにより、前記モバイル無線通信装置における前記GPSモジュールをアクティブにすることを可能にする手段と、
前記モバイル無線通信装置により、場所データを前記UICCに送信することを可能にする手段と、
前記UICCにより、前記モバイル無線通信装置における前記GPSモジュールを非アクティブにすることを可能にする手段と、
前記モバイル無線通信装置により、前記GPSモジュールが現在利用可能な否かを前記UICCに通知することを可能にする手段と、を備える。
【００１５】
GPS技術により特に精確な場所情報が提供可能であるため、本発明にかかるモバイル無線通信装置を使用することにより、容量が大きくなったUICCが、このような精確な情報へアクセスし、提供可能なアプリケーションの数と範囲を最大にする試みが可能になる。
【００１６】
本発明にかかるモバイル無線通信装置は、USAT（Universal Sim Application Toolkit）の機能に基づき、そのため、ETSI技術仕様書から分かるように、APDU（Application Protocol Data Unit）に基づいて現在のUSATの機能性とコマンドを拡張可能であることが好ましい。
【００１７】
１つのアレンジとして、UICCにより、GPSデータを必要とするサービスが該UICCにあることをモバイル無線通信装置に通知することを可能にする手段は、ATR（Answer To Reset）シーケンスにおける、現在未使用のインタフェース・バイトのうちの１つまた任意を用いるようにしてもよい。
【００１８】
モバイル無線通信装置により、GPSモジュールが該モバイル無線通信装置にあることをUICCに通知することを可能にする手段は、静的な通知のためのものであることが好ましい。この場合、該手段は、ターミナル・プロフィール（Terminal profile）における新しいビットの定義のためにアレンジされることが好ましい。
【００１９】
或いは、上述した通知は、動的ベースで供給されるようにしてもよい。この場合、上述した手段は、新しいイベントを追加し、「Set-up Event List」コマンドを用いてUICCにより該新しいイベントを登録することを可能にし、「Envelope Event Download-GPS "module status"」をUICCに転送することを可能にすることにより、USATの特性として定義された現在のイベント・リストを拡張するようにアレンジされる。
【００２０】
UICCによりGPSモジュールをアクティブにすることを可能にする手段は、新しいUSATコマンドを定義することを含むことが好ましい。
【００２１】
さらに、モバイル無線通信装置により、GPSモジュールからUICCへ場所情報を送信することを可能にする手段は、所定の新しいエンベロープ・コマンド「Envelope Data Download-GPS data」を定義するようにアレンジされるようにしてもよい。
【００２２】
UICCにより、モバイル無線通信装置におけるGPSモジュールを非アクティブにすることを可能にする手段を、上述した、UICCによりGPSモジュールをアクティブにすることを可能にする所定のコマンドを利用するようにアレンジすることが好ましい。
【００２３】
モバイル無線通信装置により、GPSモジュールが現在利用可能か否かをUICCに通知することを可能にする手段は、下記の３つのオペレーションを実行するようにアレンジされることが好ましい。この３つのオペレーションは、USATの機能として知られる現在のイベント・リストに「GPSモジュールが利用できるか否か」（GPS module availability）イベントを追加することと、、「Set-up Event List」コマンドを用いて該新しいイベントを登録することと、GPSモジュールのステータスが「可能」から「不可能」に移行するときに、新しい「Envelope Event Download- GPS module status」をUICCに送信することである。
【００２４】
UICCインタフェースは、USBベースのものであってもよい。この場合、上述と比較すると、該インタフェースに従った新しいコマンドはAPDUに基づく必要が無い。そのため、これらのコマンドは、USATコマンドを含まない。
【００２５】
UICCにより、GPSデータを必要とするサービスが該UICCにあることをモバイル無線通信装置に通知することを可能にする手段は、ATRシーケンスにおける未使用のインタフェース・バイトうちの１つまた任意を用いるようにしてアレンジされるようにしてもよい。
【００２６】
また、モバイル無線通信装置により、GPSモジュールがMEにあることを静的な方式でUICCに通知することを可能にする手段は、モバイル無線通信装置からUICCに送信される所定の新しいコマンドの定義を含むようにしてもよい。
【００２７】
また、モバイル無線通信装置により、GPSモジュールがMEにあることを動的にUICCに通知することを可能にする手段は、現在のイベントの拡張と、モバイル無線通信装置からUICCに送信される所定の新しいコマンド「Event Notification- GPS」の追加を含むようにしてもよい。
【００２８】
さらに、UICCによりGPSモジュールをアクティブにすることを可能にする手段は、UICCからモバイル無線通信装置に送信される所定の新しいコマンドの定義を含むようにしてもよい。
【００２９】
さらに、モバイル無線通信装置により、GPSモジュールからUICCに場所データを送信することを可能にする手段は、モバイル無線通信装置からUICCに送信される新しいコマンドの定義を可能にするようにしてもよい。
【００３０】
UICCによりモバイル無線通信装置におけるGPSモジュールを非アクティブにすることを可能にする手段は、前述した、UICCによりモバイル無線通信装置におけるGPSモジュールをアクティブにすることを可能にする手段における、所定の新しいコマンドを再利用するようにアレンジされることが好ましい。
【００３１】
モバイル無線通信装置により、GPSモジュールが現在利用可能か否かをUICCに通知することを可能にする手段は、３つの機能性レベルを提供するようにアレンジされてもよい。この３つの機能性レベルは、所定の新しいイベントの追加による現在のイベント・リストの拡張と、UICCからモバイル無線通信装置に送信される新しいイベントの登録リクエストの定義と、モバイル無線通信装置からUICCに送信可能な新しい「Event Notification-GPS availability」コマンドの定義とを含む。
【００３２】
本発明のさらなる特徴によれば、本発明にかかる無線通信装置は、ワイヤレス方式で動作するようにアレンジされることができる。
【００３３】
特に、本発明の１つの実施の形態において、場所データは、本発明が適用されたモバイル無線通信装置により、ワイヤレス方式で、該モバイル無線通信装置と遠隔するデバイスから取得される。
【００３４】
また、本発明にかかるモバイル無線通信装置は、イベント「EVT_SEND_DATA」を指示することにより、該モバイル無線通信装置における非接触機能（CLF：Contact-Less Function）によりUICCに場所データをパスするようにアレンジされるようにしてもよい。
【００３５】
従って、本発明は、シングル・ワイヤ・プロトコル（Single Wire Protocol）と、ETSI Smart Card Platform (SCP)規格において現在議論されているホスト・コントローラ・インタフェース（Host Controlled Interface）とに基づいた非接触タイプのインタフェースを含むことができる。
【００３６】
そのため、当然ながら、本発明は、容量が増大されたUICCの機能上の可能性を高めることができ、例えば、ネットワーク事業者が、本発明にかかるモバイル無線通信装置を利用することにより、特に精確な場所情報に基づいたさらなるサービスを提供することを可能にする。これらのサービスは、例えば、タクシー車両の動的な管理、場所に基づいた広告、友達／子供の居場所、または、レストラン、銀行及び銀行関連のＡＴＭなどの特定の目的地の精確な確定を含む。
【００３７】
本発明は、モバイル無線通信装置におけるUICCに場所情報を接続する方法も提供する。この方法は、UICCからモバイル無線通信装置に、場所データを必要とするアプリケーションがあることの通知を提供するステップと、場所データのソースが利用可能な通知をUICCにおいて受信するステップと、UICCにより、場所データの転送を開始させ、その後、UICCへのこのような転送を可能にし、その後、場所データの転送を終了させるステップとを含む。
【００３８】
該方法の一つの実施の形態において、場所データはモバイル無線通信装置におけるGPSモジュールにより提供される。この方法は、
UICCにより、該UICCにおいてGPSデータが必要なサービスがあることをモバイル無線通信装置に通知するステップと、
静的にまたは動的に、モバイル無線通信装置にGPSモジュールがあることをUICCに通知するステップと、
UICCにより、モバイル無線通信装置にあるGPSモジュールをアクティブにするステップと、
モバイル無線通信装置からUICCに場所データを送信するステップと、
UICCにより、モバイル無線通信装置におけるGPSモジュールを非アクティブにするステップと、
GPSモジュールが現在利用可能であるか否かをUICCに通知するステップとを有する。
【００３９】
本発明は、下記の図面を参照してさらに説明される。これらの図面は、例示に過ぎない。
【図面の簡単な説明】
【００４０】
【図１】本発明の実施の形態にかかるモバイル無線通信装置に関連する信号図を含む。
【図２】本発明の実施の形態によるターミナル・プロファイル（Terminal Profile）のバイト構造を示す図である。
【発明を実施するための形態】
【００４１】
本発明の１つ具体的な実施の形態では、GPS技術は、例えば数メートルの範囲内などの、特に正確な場所データの提供に用いられる。
【００４２】
後述するように、本発明は、モバイル無線通信装置におけるGPSモジュールから配信されるこのような場所データの利用に特に有利である。本発明によれば、GPSが発信した場所データは、UICCプラットフォーム全体に利用されることができるため、UICCに使用可能なアプリケーションを専用のアプリケーションに制限する必要がない。したがって、場所データは、UICCに格納された任意のアプリケーションからもアクセス可能である。
【００４３】
後述する、本発明の別の実施の形態によれば、本発明にかかるモバイル無線通信装置は、例えばETSI SCPにて定義されたような非接触タイプのインタフェース・アレンジメントを経由した、外部端末からのこれらの精確な場所データへの検索を可能にする。この外部端末は、例えば、リモートモバイル無線通信装置以外の非接触タイプ端末である。
【００４４】
本発明にかかるモバイル無線通信装置は、所定の機能的特徴を発揮することにより、GPSモジュールから得られる、または非接触方式で外部から得られる精確な場所データが、用いられた実際の物理インタフェースにかかわらず、UICCにより利用可能である。これらの物理インタフェースは、例えばISO、High Speed Protocol、非接触タイプのいずれである。
【００４５】
UICCがモバイル無線通信装置におけるGPSモジュールから場所データを受信する実施の形態において、インタフェースは、下記の特徴を有し、有利である。これらの特徴は、
UICCにより、GPSデータが必要なサービスがあることをモバイル通信装置に通知することを可能にし、
モバイル無線通信装置により、GPSモジュールが該モバイル無線通信装置にあることを、静的にまたは動的にUICCに通知することを可能にし、
UICCにより、モバイル無線通信装置にあるGPSモジュールをアクティブにすることを可能にし、
モバイル無線通信装置により、場所データをUICCに送信することを可能にし、
UICCにより、モバイル無線通信装置におけるGPSモジュールを非アクティブにすることを可能にし、
モバイル無線通信装置により、GPSモジュールが現在アクティブであるか否かをUICCに通知することを可能にすることを含む。
【００４６】
後述の説明で分かるように、これらの特徴を発揮する本発明の実施の形態によれば、UICCへのより精確な場所データの提供を可能にすることにより、UICC上でこれらの精確場所データを用いた新しいサービスの発展可能性が開ける。
【００４７】
ここで、図１を参照して本発明にかかるモバイル無線通信装置を説明する。
携帯電話機などのモバイル無線通信装置１０は、UICC１２、（UICCとの通信を担うMEの一部である）STMマネージャ１４、GPSモジュール１２を備える。図１において、信号の伝達が示されている。
【００４８】
本発明の主旨がUICC１２とSIM  マネージャ１４間のインタフェースに関するため、SIM  マネージャ１４とGPSモジュール１６間のインタフェースの態様は、本発明と関連せず、また、モバイル無線通信装置においてGPSモジュール１６からSIM  マネージャ１４への場所データの伝送のために実際には他の構成要素が設けられてもよい。
【００４９】
今、図に戻ってより詳細に説明する。１８において、パワー・オン・シーケンスがスタートし、これは、SIMマネージャ１４からUICC１２へのSend Reset信号２０を発動させる。それに応じて、UICC１２は、UICC１２においてGPS場所データを要求するアプリケーションがあることを示す信号２２をSIM  マネージャ１４に返送する。
【００５０】
２４においてパワー・オン・シーケンスが続き、SIM  マネージャ１４は、GPSモジュール１６があることを示すターミナル・プロフィール信号を含む返送信号２６をUICC１２に送信する。
【００５１】
なお、図示の実施の形態では、ターミナル・プロフィールがパワー・オン手順の間で送信されるが、より後のタイミングで送信されてもよいことは理解されるべきである。
【００５２】
ともかく、主な制御機能は、UICC１２がターミナル・プロフィール信号を受信しなければ、UICC１２はモバイル無線通信装置にUSATコマンドに送信しないことである。
【００５３】
パワー・オン・シーケンスは、UICC１２からSIM  マネージャ１４への起動信号３０「SETUP GPS」に伴って２８で完了する。図示していないが、ここで、モバイル無線通信装置は、UICC１２へ任意の場所データの送信が要求される。
【００５４】
そのため、SIM  マネージャ１４からGPSモジュール１６への、GPSモジュールの起動をリクエストする信号３２の送信、これに応答して、GPSモジュール１６からSIM  マネージャ１４への、GPSモジュールが起動されたことを示す信号３４の送信が順次行われる。上記起動は、UICC１２に対して、SIM  マネージャ１４により、ターミナル・レスポンス確認信号３６を介して確認される。
【００５５】
そして、GPS場所データ３８はGPSモジュール１６から取得され、「envelope data download」４０の一部としてSIM  マネージャ１４からUICC１２に配信される。
【００５６】
その後、UICCがGPSを非アクティブにセットアップする信号４６を発行するまで、要求される限り、GPS場所データ４２は送信され続き、エンベロープ・ダウンロード信号４４の一部としてSIM  マネージャ１４からUICC１２へ配信される。信号４６により、GPSを非アクティブにするリクエスト４８は、SIM  マネージャ１４により生成され、GPSモジュール１６に配信される。
【００５７】
一旦非アクティブにされると、GPSモジュール１６は、自身が非アクティブにされたこを示すステータス５０の通知をSIM  マネージャ１４に送信する。そして、SIM  マネージャ１４は、非アクティブを確認する信号５２をUICC１２に供する。
【００５８】
勿論、GPS場所データ信号３８と４２の間に送信されるGPS場所データの量は、UICC１２にロードされたそのアプリケーションと該アプリケーションが要求する場所データに依存する。
【００５９】
さらに、用いられたインタフェース技術によって、本発明の様々な実施の形態が考えられる。
【００６０】
下記において、ETSI TS 102 223に定義されたUSAT機能に基づいた、モバイル無線通信装置UICC  ISOインタフェース上での実装が概説される。この実装は、本発明をサポートするために、現在のUSAT機能例えばETSI TS 102 221に定義されたAPDUに基づいたコマンドを拡張することになる。
【００６１】
UICCにより、GPSデータを必要とするサービスがあることをMEに通知すること可能とするインタフェースの態様では、ISO 7816-3に定義されたATRの現在使われていない１つまたは任意のバイトを用いることができる。例えば、上記バイトを「００」にセットすることにより、GPSの使用を要求するアプリケーションがUICCに無いことを示す一方、「０１」にセットされた上記バイトにより、場所データを要求するアプリケーションがUICCに存在することを示すようにアレンジする。
【００６２】
モバイル無線通信装置からUICCへの、モバイル無線通信装置にGPSモジュールがあることの通知は、静的な方式または動的な方式で行われることができる。
【００６３】
静的な通知の場合、本発明は、モバイル無線通信装置がGPSモジュールを有することを示す新しいビットをターミナル・プロフィール内に定義する手法を提供する。
【００６４】
図２は、このようなバイトの例を示す。後述の説明から分かるように、図２において、ビット１すなわちｂ１が「１」に設定されることは、モバイル無線通信装置にGPSモジュールがあり、要求されれば場所データが提供可能であることを示す。
【００６５】
動的な通知の可能性については、モバイル無線通信装置により、GPSモジュールが現在利用可能か否かをUICCに通知することを可能にする技術的な具現化に関連した後述の説明が参照されよう。
【００６６】
UICCにより、GPSモジュールをアクティブにすることを可能にすることに関して、本発明は、「SETUP GPS」となる新しいUSATコマンドの定義を提供する。
【００６７】
新しいコマンドに関連する内容は、下記の表１により詳細に示される。表１において、「条項」欄のエントリは、ETSI 102 223仕様書に定義された関連条項に対応する。
【表１】
0005609642.tif 000002
【００６８】
この新しいUSATコマンドは、具体的には、コマンドタイプのコードが例えば0x70である。なお、これは現在proactive UICC command tagに割当てられた値以外の任意の値であってもよい。さらに、理想的には、これは、９．４条項に追加される。コマンド修飾子のコードは、「００」がGPSを非アクティブにするコマンドのためであり、「０１」がGPSをアクティブにするコマンドのためである。
【００６９】
当然ながら、このコマンドの発信元がUICCであり、発信先が該UICCが設けられたモバイル無線通信装置であることは、理解されるべきである。
【００７０】
MEがGPSモジュールからUICCに場所データを送信することを可能にする機能の実現のために、新しいエンベロープ・コマンド「Envelope Data Download- GPS data」は定義され、下記の表２により詳細に示される。
【表２】
0005609642.tif 000003
【００７１】
実際の場所データすなわちペイロードは、「GPS location data」のデータ・オブジェクトに含まれる。（使用可能な実在のタグとして割当てられていない任意の値）例えば0xD3を含むGPS Data Download tagは、ETSI TS 102 223の９．１条項に追加するようにアレンジされる。ここで、「Device Identity」については、、UICCが発信先であり、モバイル無線通信装置が発信元である。
【００７２】
下記の表３は、「GPS location data」と、例えば0x71を含む「GPS location data tag」のさらなる詳細を示す。
【表３】
0005609642.tif 000004
【００７３】
GPS場所データの詳細なコードについて、アプリケーションの要求次第であるため、ここではさらなる説明をしない。
【００７４】
UICCによる、モバイル無線通信装置におけるGPSモジュールの非アクティブ化を可能にするインタフェースの実装について、前述においてGPSモジュールのアクティブ化について定義された新しいコマンド「SETUP GPS」のそのままの再利用が、有利な機能である。なお、この場合、コマンド修飾子が「００」以外にセットされる。
【００７５】
GPSモジュールが取外し可能である場合、または、モバイル無線通信装置とUICCアプリケーションにより共有され得る場合において、モバイル無線通信装置により、GPSが利用可能か否かをUICCに通知することを可能にする機能は、特に有用である。本発明の実施の形態において、該機能は、３つの機能部分を有する。
【００７６】
第１に、GPSモジュールの利用可能性に定義された新しいエレメントの提供を介して、USATの機能として定義されている、現在に存在するイベント・リストは、拡張される。
【００７７】
これは、下記の表４により示される。また、イベント・リストの内容が、可変長のイベントのリストを含み、このリストにおいて、各バイトが所定のイベントを定義し、それぞれのイベントがリストに１回より多い回数出現しないことは、理解されるべきである。
【表４】
0005609642.tif 000005
【００７８】
コードについて、イベント・リストにおけるそれぞれのバイトが、下記の値のうちの１つにより符号化される。
"00"= MT call
"01"=Call connected
"02"=Call disconnected
"03"=Location status
"0F"=Browsing status
"10"=Frames Information Change
"11"= reserved for 3GGP (I-WLAN Access Status)
"20"=GPS module availability.
【００７９】
第２に、表５に詳細に示されているように、UICCは、TS 31.111において定義されたコマンド「SETUP Event List」によりこの新しいイベントを登録するようにアレンジされる。
【表５】
0005609642.tif 000006
【００８０】
第１の部分について上記において概説されたように、イベント・リストのデータ・オブジェクトが、新しく定義されたイベント「GPS module availability」を含むことは、理解されるべきである。
【００８１】
第３に、GPSモジュールが利用可能から利用不可能に切り換わるとき、または利用不可能から利用可能に切り換わるとき、モバイル無線通信装置は、例えば図１に示すように、新しいコマンド「envelope event download-GPS module status」をUICCに送信する。
【００８２】
表６にはさらに記述的データが示されている。ここでは、イベント・リストのデータ・オブジェクトは、新しく定義された「GPS module availability」イベントを含む。このイベントは、上述した第１の部分において定義されている。
【表６】
0005609642.tif 000007
【００８３】
GPS module statusのコードは、GPSモジュールが利用できない、または接続されていない場合には「００」である一方、GPSモジュールが確実に利用可能または接続されている場合には「０１」である。
【００８４】
本発明の第２の実施の形態において、ETSI TS 102 600に基づき、インタフェースは、高速「USB-IC」インタフェースに基づいて提供することができる
【００８５】
このようなUSBインタフェース上のプロトコル・スタックと、上述したISOベースのインタフェースのプロトコル・スタックとが異なることは、理解されるべきである。そのため、下記において定義される新しいコマンドは、もうAPDUに基づいたものではない。また、コマンドは、通常、ＩＰパケットにカプセル化されてからUSBインタフェースを介して送信される。これらのことは理解されるべきである。
【００８６】
すなわち、下記において定義されるコマンドは、もうUSATコマンドではなく、単にコマンドそのものであると考えられるべきである。
【００８７】
UICCにより、該UICCにおいてGPSデータを要求するサービスがあることをモバイル無線通信装置に通知することを可能にするインタフェースの態様では、起動された、IC  USB  インタフェースについてUSB  ICCD  device  classを用いるUSB  UICCにより、Smart Card ICCD仕様(Universal Serial Bus, "Device Class Specification for USB Integrated Circuit Card Devices") (Smart Card ICCD),(Revision 1.0)に基づいたICC_POWER_ONまたはPC_to_RDR_IccPowerOnリクエストに応じて返送されたATRは、"ISO"(ETSI TS 102 221)インタフェースを介して返送されたATRと同様であろう。
【００８８】
ここで、これに基づき、UICCのこの機能のための、上記において用いられたソリューションと同様であるが、ISOインタフェースと関連するソリューションを用いることができる。
【００８９】
モバイル無線通信装置により、静的にまたは動的に、該モバイル無線通信装置にGPSモジュールがあることをUICCに通知することを可能にした本発明の第２の実施の形態によれば、新しいコマンド「Terminal Capability」は、モバイル無線通信装置からUICCに送信される。これの詳細は、表７に示される。
【表７】
0005609642.tif 000008
【００９０】
ここで、例として、「command tag」は0x50を含む。「Terminal capability data」の第１のバイトが「０１」であるとき、GPSがあると考えられる。「Terminal capability data」の他のバイトはRFUである。
【００９１】
上記において静的な通知について説明した。動的な通知について、MEにより、GPSモジュールがあるか否かをUICCに通知する３つの機能部分について下記に説明される機能を用いることができる。
【００９２】
UICCによりGPSモジュールをアクティブにすることを可能にすることは、新しいコマンド「SETUP GPS」を定義することにより実現される。このコマンドは、表８に示されている。
【表８】
0005609642.tif 000009
【００９３】
ここでは、例として、「command tag」は0x51を含み、GPSステータスは、「０１」がGPSをアクティブにすることを意味し、「００」がGPSを非アクティブにすることを意味する。
【００９４】
下記の表９は、モバイル無線通信装置により、GPSモジュールからUICCへの場所データの送信を可能にする新しいコマンドを示す。このコマンドは、例えば0x52である「command tag」を有するコマンド「GPS data」を含む。なお、上述した実施の形態と同様に、GPSデータの符号化が本発明により特にカバーされないとき、このコマンドは、一般的に、UICCにより実行される生データであってもよい。
【表９】
0005609642.tif 000010
【００９５】
UICCによりGPSモジュールをアクティブにすることを可能にする点に関連する上述のコマンド構造は、GPS statusバイトが「００」に設定された場合を除き、UICCによりGPSモジュールを非アクティブにすることを可能にするときに、インタフェースにより再利用されることができる。
【００９６】
上述した第１の実施の形態と同様に、モバイル無線通信装置によりGPSモジュールが現在利用可能か否かをUICCに通知することを可能にするインタフェースの技術的具現化または機能は、概して、３つの部分から提供される。
【００９７】
第１に、新しいイベント「GPS module availability」の追加を介して、USATの機能として定義されている、現在に存在するイベント・リストは、拡張される、
【００９８】
このイベント・リストの内容が、物理インタフェースに依存せず、上述した実施の形態における第１の部分と同様の方式で拡張され得ることは、理解されるべきである。
【００９９】
第２に、新しいコマンド「Event Registration Request」が定義され、このコマンドは、UICCからモバイル無線通信装置に送信される。その詳細は、表１０に示される。
【表１０】
0005609642.tif 000011
【０１００】
この例では、「command tag」は例えば0x80を含む。また、「Event List」は、上述した第１の部分において定義された「GPS module availability」を含むようにアレンジされている。
【０１０１】
第３に、新しいコマンド「Event Notification-GPS availability」が定義される。このコマンドは、モバイル無線通信装置からUICCに送信されるようにアレンジされる。その詳細は、表１１に示される。
【表１１】
0005609642.tif 000012
【０１０２】
ここでは、「command tag」は例として0x81を含む。  GPS module statusのコードは、「００」が、GPSモジュールが利用できない、または接続されていないことを示す一方、「０１」が、GPSモジュールが確実に利用可能または接続されていることを示す。
【０１０３】
本発明の第３の実施の形態は、ETSI SCPから現在知られているシングル・ワイヤ・プロトコル（SWP）とホスト・コントローラ・インタフェース（HCI）に基づいた非接触タイプのインタフェースの利用に関する。
【０１０４】
当然ながら、このようなインタフェース・アレンジメントは、UICCのアプリケーションが、モバイル無線通信装置の外部にある装置／端末から場所データを受信したい場合に適用できる。
【０１０５】
この場合、GPSモジュールがもう場所データの供給者ではなく、UICCのアプリケーションはリモートの非接触性タイプの装置からのみこのようなデータを要求する。
【０１０６】
この実施の形態において、モバイル無線通信装置におけるCLFからUICCに透過的に場所データを受け渡すことに、イベント「EVT_SEND_DATA」が用いられる。その詳細は、下記の表１２に示される。
【表１２】
0005609642.tif 000013
【０１０７】
この第３の実施の形態は、本発明の応用を示す。
大容量メモリのUICCはまもなく市場に登場するであろう。必然的に、これは、ますます多くのアプリケーションをUICC内に組み込むことをネットワーク事業者にさせることになる。
【０１０８】
GPSも、最近の携帯電話機にますます多く組み込まれる技術である。
GPSモジュールからUICCに精確な場所情報を提供することにより、我々は、ネットワーク事業者に彼らの収入を増やす新しい可能性を提供しているであろう。
【０１０９】
彼らは、精確な場所情報に基づいて、付加価値のあるサービスのカテゴリを開拓する可能性を手にいれることになる。
【図１】
0005609642.tif 000014
【図２】
0005609642.tif 000015